(57)【要約】  【課題】光ディスクなどの記録媒体に記録された放送番組の消去と放送番組の記録とを行う操作を短時間で簡単に行うことのできる記録再生装置を提供する。  【解決手段】記録再生装置のリモコンには消去・録画キーが設けられている。記録再生装置のトレイに放送番組が記録されている書き換え可能型の光ディスクがセットされた状態で消去・録画キーが押されると、制御部は、録画されている全ての放送番組を光ディスクから消去し（Ｓ２）、消去終了後に放送番組の録画を開始する（Ｓ３）。録画中に停止キーが押されると（Ｓ４：ＹＥＳ）、放送番組の録画を終了する（Ｓ５）。一方、録画されている全ての放送番組を消去できない場合は（Ｓ１：ＮＯ）、制御部はエラーメッセージの表示信号を出力する（Ｓ６）。【選択図】  図３
2006179083.tif 000002
【特許請求の範囲】
【請求項１】
複数のキーを備えた操作部からの指示に基づいて制御手段で装置の各部を制御することにより、受信するテレビ放送番組を書き換え可能型の光ディスクに記録し、当該光ディスクに記録されたテレビ放送番組を再生する記録再生装置において、
前記操作部に消去・録画キーを設け、
前記消去・録画キーが押された場合、前記制御手段は、前記光ディスクに記録されている全てのテレビ放送番組を消去できるときは、当該全てのテレビ放送番組を消去し、消去後にテレビ放送番組を当該光ディスクに記録し、当該光ディスクに記録されている全てのテレビ放送番組を消去できないときは、エラーメッセージを外部に接続された表示装置に表示させることを特徴とする記録再生装置。
【請求項２】
複数のキーを備えた操作部からの指示に基づいて制御手段で装置の各部を制御することにより、受信する放送番組を書き換え可能型の記録媒体に記録し、当該記録媒体に記録された放送番組を再生する記録再生装置において、
前記操作部に消去・記録キーを設け、
前記消去・記録キーが押された場合、前記制御手段は、前記記録媒体に記録されている放送番組を消去し、消去後に放送番組を当該記録媒体に記録することを特徴とする記録再生装置。
【請求項３】
複数のキーを備えた操作部からの指示に基づいて制御手段で装置の各部を制御することにより、受信する放送番組を書き換え可能型の記録媒体に記録し、当該記録媒体に記録された放送番組を再生する記録再生装置において、
前記操作部のキーが操作され、放送番組の記録予約がされた場合、記録予約において前記記録媒体に記録されている放送番組を消去する旨の指定がされたときは、前記制御手段は当該記録媒体に記録されている放送番組を消去し、
前記記録予約された放送番組の記録開始時刻に到達した場合、前記制御手段は当該放送番組を前記記録媒体に記録することを特徴とする記録再生装置。
【請求項４】
請求項２または請求項３に記載の記録再生装置において、
前記制御手段は、前記記録媒体に記録されている全ての放送番組を消去できるときは、当該全ての放送番組を消去し、当該記録媒体に記録されている放送番組の少なくとも１つが消去できないときは、当該記録媒体に記録されている放送番組の消去および放送番組の記録を行わないことを特徴とする記録再生装置。
【請求項５】
請求項２または請求項３に記載の記録再生装置において、
前記制御手段は、前記記録媒体に記録されている全ての放送番組を消去できるときは、当該全ての放送番組を消去し、当該記録媒体に記録されている放送番組の少なくとも１つが消去できないときは、当該記録媒体に記録されている消去できる放送番組だけを消去することを特徴とする記録再生装置
【発明の詳細な説明】
【技術分野】
【０００１】
本発明は、光ディスクなどの記録媒体に放送番組を記録し、記録された放送番組を再生する記録再生装置に関する。
【背景技術】
【０００２】
ＤＶＤ−ＲＷなどの光ディスクはテレビ放送の放送番組の記録媒体として広く用いられている。この光ディスクに多数の放送番組が既に記録されており十分な空き領域が残っていない場合や、新たなシリーズ物の放送番組だけを１枚の光ディスクに記録したい場合がある。このような場合、従来のＤＶＤレコーダなどの記録再生装置では、ユーザが既に記録されている全ての放送番組を光ディスクから消去するための操作をリモコンで行ってから、消去が終了するのを待って録画キーを押すことにより放送番組を録画している。
【０００３】
尚、光ディスクに記録された放送番組の消去に関するものではないが、光ディスクのフォーマット処理の処理時間を短縮するための方法やフォーマット処理の手間を軽減するための方法が下記の特許文献１〜３に示されている。特許文献１には、ホストからのフォーマット処理要求に従ってＤＶＤ＋ＲまたはＤＶＤ＋ＲＷ規格に準拠した記録媒体のフォーマット処理を行い、データ記録要求に従ってデータを記録媒体に記録する情報記録装置が示されている。この情報記録装置では、フォーマット処理要求を受信すると直ちにフォーマット処理の完了をホストに通知し、通知後にフォーマット処理を行う。フォーマット処理中にデータ記録要求を受信すると、フォーマット処理を中断してデータを記録し、記録後にフォーマット処理を再開する。
【０００４】
特許文献２には、フォーマット処理がされていない上記規格に準拠した記録媒体が情報記録再生装置にセットされると、記録媒体のデータ領域にダミーデータを記録せずにリードイン領域の一部だけを記録設定することにより、記録媒体をデータ記録可能状態にするイニシャライズ処理を自動的に行うことが示されている。特許文献３には、フォーマット処理がされていない記録媒体が媒体交換型記録装置にセットされると、自動的にフォーマット処理を開始することが示されている。
【特許文献１】特開２００４−１６４８０９号公報（要約、段落０００１〜００１１、段落００４３〜０１１１）
【特許文献２】特開２００４−１１０９６２号公報（段落０００１〜００１０）
【特許文献３】特開２００３−２６３８３９号公報（要約、段落０００１〜０００６）
【発明の開示】
【発明が解決しようとする課題】
【０００５】
しかしながら、上記従来のものにおいては、記録されている放送番組の消去が終了してからでないと放送番組を録画することができないので、直ちに席を外すような場合には録画キーを押すことができず、受信中の放送番組を録画することができないという問題がある。また、録画された放送番組を消去するための操作と録画キーを押す操作との両方をしなければならないので、操作が煩わしいという問題もある。尚、特許文献１〜３に示される方法では上記の問題は解決されない。
【０００６】
本発明は、上記問題点を解決するものであって、その課題とするところは、光ディスクなどの記録媒体に記録された放送番組の消去と放送番組の記録とを行う操作を短時間で簡単に行うことのできる記録再生装置を提供することにある。
【課題を解決するための手段】
【０００７】
第１の発明では、複数のキーを備えた操作部からの指示に基づいて制御手段で装置の各部を制御することにより、受信するテレビ放送番組を書き換え可能型の光ディスクに記録し、当該光ディスクに記録されたテレビ放送番組を再生する記録再生装置において、操作部に消去・録画キーを設け、消去・録画キーが押された場合、前記制御手段は、前記光ディスクに記録されている全てのテレビ放送番組を消去できるときは、当該全てのテレビ放送番組を消去し、消去後にテレビ放送番組を当該光ディスクに記録し、当該光ディスクに記録されている全てのテレビ放送番組を消去できないときは、エラーメッセージを外部に接続された表示装置に表示させる。ここで、消去できないテレビ放送番組とは、消去プロテクトがかけられているテレビ放送番組などである。
【０００８】
上記のように、消去・録画キーを押すだけで、光ディスクに記録されている全てのテレビ放送番組が消去され、消去後にテレビ放送番組が当該光ディスクに自動的に記録されるので、従来のように全てのテレビ放送番組を消去する操作をした後に消去が終了するのを待って録画キーを押す必要がなくなる。すなわち、光ディスクに記録されている全てのテレビ放送番組の消去とテレビ放送番組の記録とを行う操作を短時間で簡単に行うことができる。これにより、ユーザの操作の手間を軽減することができる。また、従来のように消去が終了するのを待って録画キーを押す必要がないので、直ちに席を外すような場合でも記録されているテレビ放送番組が消去された光ディスクにテレビ放送番組を新たに記録することができる。また、光ディスクに消去できないテレビ放送番組が記録されている場合は、テレビ放送番組の消去が行われないので、保存しておきたいテレビ放送番組が消去されてしまうのを防止することができる。この場合、エラーメッセージが表示されるので、ユーザに装置にセットした光ディスクの間違いなどを知らせることができる。
【０００９】
第２の発明では、複数のキーを備えた操作部からの指示に基づいて制御手段で装置の各部を制御することにより、受信する放送番組を書き換え可能型の記録媒体に記録し、当該記録媒体に記録された放送番組を再生する記録再生装置において、操作部に消去・記録キーを設け、消去・記録キーが押された場合、前記制御手段は、前記記録媒体に記録されている放送番組を消去し、消去後に放送番組を当該記録媒体に記録する。
【００１０】
上記のように、消去・記録キーを押すだけで、記録媒体に記録されている放送番組が消去され、消去後に放送番組が当該記録媒体に自動的に記録されるので、従来のように放送番組を消去する操作をした後に消去が終了するのを待って記録キーを押す必要がなくなる。すなわち、記録媒体に記録されている放送番組の消去と放送番組の記録とを行う操作を短時間で簡単に行うことができる。これにより、ユーザの操作の手間を軽減することができる。また、従来のように消去が終了するのを待って記録キーを押す必要がないので、直ちに席を外すような場合でも記録されている放送番組が消去された記録媒体に放送番組を新たに記録することができる。
【００１１】
第３の発明では、複数のキーを備えた操作部からの指示に基づいて制御手段で装置の各部を制御することにより、受信する放送番組を書き換え可能型の記録媒体に記録し、当該記録媒体に記録された放送番組を再生する記録再生装置において、操作部のキーが操作され、放送番組の記録予約がされた場合、記録予約において前記記録媒体に記録されている放送番組を消去する旨の指定がされたときは、前記制御手段は当該記録媒体に記録されている放送番組を消去し、記録予約された放送番組の記録開始時刻に到達した場合、前記制御手段は当該放送番組を前記記録媒体に記録する。
【００１２】
上記のように、記録予約するときに記録媒体に記録されている放送番組を消去する旨の指定をすることにより、当該放送番組が消去され、消去後に記録予約された放送番組が当該記録媒体に自動的に記録されるので、従来のように放送番組を消去する操作をした後に消去が終了するのを待って記録予約の操作を行う必要がなくなる。すなわち、記録媒体に記録されている放送番組の消去と放送番組の記録予約とを行う操作を短時間で簡単に行うことができる。これにより、ユーザの操作の手間を軽減することができる。また、従来のように消去が終了するのを待って記録予約の操作を行う必要がないので、直ちに席を外すような場合でも記録されている放送番組が消去された記録媒体に記録予約された放送番組を新たに記録することができる。
【００１３】
第２または第３の発明の実施形態においては、制御手段は、記録媒体に記録されている全ての放送番組を消去できるときは、当該全ての放送番組を消去し、当該記録媒体に記録されている放送番組の少なくとも１つが消去できないときは、当該記録媒体に記録されている放送番組の消去および放送番組の記録を行わないようにする。ここで、消去できない放送番組とは、消去プロテクトがかけられている放送番組などである。これにより、保存しておきたい放送番組が消去されてしまうのを防止することができる。また、消去できない放送番組が記録されているときは消去および記録が行われないので、既に記録されている放送番組と新たな放送番組とが１つの記録媒体に混在してしまうのを防止することができる。
【００１４】
また、第２または第３の発明の実施形態においては、制御手段は、記録媒体に記録されている全ての放送番組を消去できるときは、当該全ての放送番組を消去し、当該記録媒体に記録されている放送番組の少なくとも１つが消去できないときは、当該記録媒体に記録されている消去できる放送番組だけを消去するようにする。ここで、消去できない放送番組とは、消去プロテクトがかけられている放送番組などである。これにより、保存しておきたい放送番組が消去されてしまうのを防止することができる。また、消去できない放送番組が記録されているときでも消去できる放送番組だけを消去した後に放送番組を新たに記録するので、既に記録されている放送番組と新たに記録される放送番組とが１つの記録媒体に混在しても不都合がない場合には、ユーザの使い勝手が良くなる。
【発明の効果】
【００１５】
本発明によれば、記録媒体に記録されている放送番組の消去と放送番組の記録とを行う操作を短時間で簡単に行うことができるので、ユーザの操作の手間を軽減することができる。また、従来のように消去が終了するのを待って記録キーを押す必要がないので、直ちに席を外すような場合でも記録されている放送番組が消去された記録媒体に放送番組を新たに記録することができる。
【発明を実施するための最良の形態】
【００１６】
図１は本発明に係る記録再生装置のブロック図を示す。この記録再生装置１は、書き換え可能型の光ディスク１０（ＤＶＤ−ＲＷなど）および追記型の光ディスク１０（ＤＶＤ−Ｒなど）にテレビ放送の放送番組を記録すると共に、光ディスク１０（ＤＶＤ−Ｒ、ＤＶＤ−ＲＷ、ＤＶＤ−ＲＯＭなど）に記録された放送番組や映像データなどを再生する。尚、この記録再生装置１の構成は、後述する消去・録画キーがリモコン２０に設けられている点を除き、ハードウエア的には従来の記録再生装置と同様である。
【００１７】
以下、図１を参照して記録再生装置１について説明する。制御部１８は、ＣＰＵ１８ａ、メモリ１８ｂおよび不図示の制御回路から構成され、メモリ１８ｂに格納されているプログラムをＣＰＵ１８ａが実行することによって、記録再生装置１の各部を制御する。図中の矢印付きの破線は制御信号や制御データの流れを示す。また、メモリ１８ｂは各種の制御データの記憶領域やＣＰＵ１８ａの演算作業領域などとしても使用される。
【００１８】
リモコン２０には、図２に示すように電源スイッチ２１と多数のキー２２（消去・録画キー２２ａ、メニューキー２２ｂ、録画キー２２ｃ、再生キー２２ｄ、停止キー２２ｅ、決定キー２２ｆ、カーソルキー２２ｇなど）とが設けられている。リモコン２０のキー２２が押されると、押されたキー２２の信号が制御部１８に送られ、制御部１８がキー操作に応じて各部を制御することにより、放送番組の光ディスク１０への記録や記録された放送番組の再生などが行われる。記録再生装置１の筐体（不図示）の前面に配置された操作パネル１９にも、電源スイッチや、消去・録画キー、録画キー、再生キー、停止キーなどが設けられている。以下では、リモコン２０のキー２２だけが押されるものとして説明する。時計ＩＣ１７は現在の年月日および時刻（以下、両者を合わせて日時という）を記憶しており、制御部１８によって日時データの読み書きが行われる。
【００１９】
放送受信部１２は、アンテナ１１で受信された放送信号を選局し、さらに選局された放送信号の増幅および検波を行い、映像信号と音声信号とを出力する。この映像信号と音声信号とは、それぞれ記録信号処理部１３でＡ／Ｄ変換された後に圧縮符号化され、記録再生部１４で光ディスク１０に書き込まれる（記録される）。記録再生部１４は、圧縮符号化された映像信号と音声信号とを光ディスク１０の書き込み信号に変調する変調回路や、光ディスク１０から読み出された信号を復調する復調回路、光ピックアップ、光ディスク１０をセットするトレイ、光ディスク１０を回転させるための回転駆動機構などから構成される。
【００２０】
一方、記録再生部１４で光ディスク１０から読み出された（再生された）信号は、再生信号処理部１５で映像信号と音声信号とに分離され、分離された信号が伸張復号化された後にＤ／Ａ変換される。Ｄ／Ａ変換された音声信号はテレビ３０の音声信号入力端子に入力される。また、Ｄ／Ａ変換された映像信号に対して、ＯＳＤ処理部１６でＯＳＤ用信号が重畳される。ＯＳＤ用信号は、制御部１８によって生成されるオンスクリーン表示用の信号であり、テレビ３０の画面にオンスクリーン表示をするときに制御部１８から出力される。そして、ＯＳＤ処理部１６の出力信号がテレビ３０（外部に接続された表示装置）の映像信号入力端子に入力される。
【００２１】
上述のようにして記録された放送番組のデータは、録画操作ごとに（すなわち、放送番組（タイトル）ごとに）ファイルとして光ディスク１０のデータ領域に記録される。また、ファイルの管理情報（記録開始アドレスや記録サイズなど）は、光ディスク１０の管理領域に記録される。従って、記録された放送番組の消去は、データ領域に記録されたデータ自体を消去するのではなく、ファイルの管理情報を書き換えることによって行われる。尚、ＤＶＤ−ＲＷの略全域に放送番組のデータが記録されているときに、全ての放送番組のファイルの管理情報を書き換えるのにかかる時間は１分程度である。
【００２２】
次に、記録再生装置１の本発明にかかる動作について説明する。リモコン２０の消去・録画キー２２ａが押されると、図３に示す消去・録画処理がメインルーチン（不図示）から呼び出される。この消去・録画処理は、光ディスク１０に記録されている全ての放送番組を消去し、消去後に受信中の放送番組を当該光ディスク１０に記録する処理である。以下では、書き換え可能型の光ディスク１０（ＤＶＤ−ＲＷなど）が記録再生装置１のトレイ（不図示）にセットされているものとして説明する。
【００２３】
まず、制御部１８は光ディスク１０に記録された全ての放送番組を消去できるか否かを判定する（Ｓ１）。この判定は、各放送番組のファイルの管理情報を読み出し、消去プロテクトがかけられているか否か等を調べることによって行われる。全ての放送番組を消去できない場合（Ｓ１：ＮＯ）、例えば、消去プロテクトがかけられたファイルが存在する場合は、制御部１８はエラーメッセージの表示信号を出力する（Ｓ６）。具体的には、オンスクリーン表示用のデータを生成してＯＳＤ処理部１６に送る。この結果、全ての放送番組を消去できないことを示すエラーメッセージがオンスクリーン表示される。全ての放送番組を消去できる場合は（Ｓ１：ＹＥＳ）、制御部１８は、記録されている全ての放送番組を光ディスク１０から消去し（Ｓ２）、消去の終了後に受信中の放送番組の録画を開始する（Ｓ３）。録画中に停止キー２２ｅが押されると（Ｓ４：ＹＥＳ）、制御部１８は、放送番組の録画を終了し（Ｓ５）、処理ステップを呼び出し元に戻す。
【００２４】
尚、上記の消去プロテクトの設定・解除は、図４に示す録画済み番組リスト４０をテレビ３０の画面にオンスクリーン表示させ、消去プロテクトの設定・解除対象のタイトルの消去プロテクト欄においてオン（消去プロテクトをかける）またはオフ（消去プロテクトを外す）のいずれかを選択することにより行われる。上記の選択は、カーソルキー２２ｇおよび決定キー２２ｆを用いて行われる。また、録画済み番組リスト４０は、メニューキー２２ｂなどを押すことによってオンスクリーン表示される。また、図４に示すように、タイトル番号２の放送番組に消去プロテクトがかけられているような場合は、上記のステップＳ１での判定はＮＯとなる。
【００２５】
上記のように、消去・録画キー２２ａを押すだけで、光ディスク１０に録画されている全ての放送番組が消去され、消去後に受信中の放送番組が自動的に録画されるので、従来のように全ての放送番組を消去する操作をした後に消去が終了するのを待って録画キー２２ｃを押す必要がなくなる。すなわち、光ディスク１０に録画されている全ての放送番組の消去と放送番組の録画とを行う操作を短時間で簡単に行うことができる。これにより、ユーザの操作の手間を軽減することができる。また、従来のように消去が終了するのを待って録画キー２２ｃを押す必要がないので、直ちに席を外すような場合でも録画されている放送番組が消去された光ディスク１０にテレビ放送番組を新たに録画することができる。また、光ディスク１０に消去できない放送番組が録画されている場合は、放送番組の消去が行われないので、保存しておきたい放送番組が消去されてしまうのを防止することができる。
【００２６】
次に、本発明の他の実施形態について説明する。先の実施形態では消去・録画キー２２ａを用いることにより光ディスク１０に記録されている全ての放送番組の消去と録画とを１つの操作で行えるようにしたが、本実施形態では記録されている全ての放送番組の消去と放送番組の録画予約とを一括してできるようにする。図５は、放送番組を録画予約するための録画予約処理のフローチャートである。図６は、録画予約された番組を録画するための予約録画処理のフローチャートである。図７は、録画予約のときにテレビ３０の画面にオンスクリーン表示される録画予約画面を示す図である。
【００２７】
録画予約をするときにメニューキー２２ｂなどが押されると、録画予約画面５０がオンスクリーン表示されると共に、録画予約処理がメインルーチン（不図示）から呼び出される。録画予約画面５０の上部側には録画予約の入力画面５１が表示され、下部側には既に行われた録画予約の内容を示す録画予約リスト５２が表示される。録画予約リスト５２は、録画予約の内容を記憶する録画予約テーブルを表形式で表示したものである。録画予約テーブルは制御部１８のメモリ１８ｂに保存されている。録画予約画面５０が表示された状態で、カーソルキー２２ｇや決定キー２２ｆなどを従来と同様に操作することにより、録画開始時刻や全ての放送番組を消去するか否かの指定などの録画予約情報が入力画面５１に入力される。
【００２８】
録画予約処理（図５）では、制御部１８は、入力画面５１に全ての録画予約情報が入力されたか否かを判定し（Ｓ２１）、全ての録画予約情報が入力されると（Ｓ２１：ＹＥＳ）、全ての放送番組を消去する指定が行われたか否かを判定する（Ｓ２２）。上記の指定が行われなかった場合は（Ｓ２２：ＮＯ）、制御部１８は入力された録画予約情報を録画予約テーブルに登録して（Ｓ２５）、処理ステップを呼び出し元に戻す。上記の指定が行われた場合は（Ｓ２２：ＹＥＳ）、制御部１８は光ディスク１０に記録されている全ての放送番組を消去できるか否かを判定する（Ｓ２３）。
【００２９】
全ての放送番組を消去できない場合（Ｓ２３：ＮＯ）、例えば、消去プロテクトがかけられた放送番組が光ディスク１０に記録されている場合は、制御部１８はエラーメッセージの表示信号を出力する（Ｓ２６）。この結果、全ての放送番組を消去できないことを示すエラーメッセージがオンスクリーン表示される。それに対し、全ての放送番組を消去できる場合は（Ｓ２３：ＹＥＳ）、制御部１８は全ての放送番組を光ディスク１０から消去する（Ｓ２４）。その後、入力された録画予約情報を録画予約テーブルに登録して（Ｓ２５）、処理ステップを呼び出し元に戻す。
【００３０】
一方、予約録画処理（図６）は、一定時間ごとに（例えば、１００ｍ秒ごとに）メインルーチン（不図示）から呼び出される。まず、制御部１８は、時計ＩＣ１７から読み出した日時データを調べることにより、録画予約テーブル中の録画予約のいずれかが録画開始時刻に到達したか否かを判定する（Ｓ３１）。録画開始時刻に到達していない場合は（Ｓ３１：ＮＯ）、何もせずに処理ステップを呼び出し元に戻す。録画開始時刻に到達した場合は（Ｓ３１：ＹＥＳ）、録画予約されたチャンネルの放送番組が受信されるように当該チャンネルを放送受信部１２に設定するなどして、放送番組の録画を開始する（Ｓ３２）。そして、録画終了時刻に到達すると（Ｓ３３：ＹＥＳ）、放送番組の録画を終了する（Ｓ３４）。さらに録画した放送番組の録画予約情報を録画予約テーブルから削除し（Ｓ３５）、処理ステップを呼び出し元に戻す。
【００３１】
上記のように、録画予約するときに全ての放送番組を消去する旨の指定を行うことにより、光ディスク１０に録画されている全ての放送番組が消去され、消去後に録画予約された放送番組が自動的に録画されるので、従来のように全ての放送番組を消去する操作をした後に消去が終了するのを待って録画予約の操作を行う必要がなくなる。すなわち、光ディスク１０に録画されている全ての放送番組の消去と録画予約とを行う操作を短時間で簡単に行うことができる。これにより、ユーザの操作の手間を軽減することができる。また、従来のように消去が終了するのを待って録画予約の操作を行う必要がないので、直ちに席を外すような場合でも録画されている放送番組が消去された光ディスク１０に録画予約された放送番組を新たに録画することができる。また、光ディスク１０に消去できない放送番組が録画されている場合は、放送番組の消去が行われないので、保存しておきたい放送番組が消去されてしまうのを防止することができる。
【００３２】
以上述べた実施形態においては、１つでも消去できない放送番組（例えば、消去プロテクトがかけられている放送番組）があると、消去を行うことなくエラーメッセージを表示するようにしたが、消去できない放送番組をそのまま残し、消去できる放送番組だけを消去した後に新たな放送番組を録画するようにしてもよい。また、上記実施形態では、本発明で使用される記録媒体が書き換え可能型の光ディスク１０である場合について説明したが、記録媒体は当該光ディスク１０に限定されるものではなく、記録媒体がハードディスクなどの他の記録媒体であっても本発明を実施することができる。
【００３３】
さらに、上記実施形態では、消去・録画処理（図３）および録画予約処理（図５）において光ディスク１０に記録された全ての放送番組を消去する前にユーザに対する警告メッセージを出さなかったが、警告メッセージを出すようにし、ユーザが許可した場合に限り全ての放送番組を消去するようにしてもよい。さらに、上記実施形態では、テレビ放送の放送番組を録画する場合について説明したが、ラジオ放送の放送番組を録音する場合にも本発明を実施することができる。
【００３４】
さらに、上記実施形態では、記録再生装置１とテレビ３０は別々の装置であったが、本発明にかかる記録再生装置１は、記録再生装置一体型テレビを構成する記録再生装置をも含むものである。さらに、上記実施形態では、書き換え可能型の光ディスク１０が記録再生装置１のトレイにセットされているものとして説明したが、追記型または読み出し専用型の光ディスク１０がセットされている場合には、エラーメッセージがオンスクリーン表示される。
【図面の簡単な説明】
【００３５】
【図１】本発明に係る記録再生装置のブロック図である。
【図２】消去・録画キーが設けられたリモコンを示す図である。
【図３】消去・録画処理のフローチャートである。
【図４】録画済み番組リストを示す図である。
【図５】録画予約処理のフローチャートである。
【図６】予約録画処理のフローチャートである。
【図７】録画予約画面を示す図である。
【符号の説明】
【００３６】
１    記録再生装置
１０  光ディスク（記録媒体）
１４  記録再生部
１８  制御部（制御手段）
１９  操作パネル（操作部）
２０  リモコン（操作部）
２２  キー
２２ａ  消去・録画キー（消去・記録キー）
２２ｃ  録画キー（記録キー）
３０  テレビ（表示装置）
５０  録画予約画面
【図１】
2006179083.tif 000003
【図２】
2006179083.tif 000004
【図３】
2006179083.tif 000005
【図４】
2006179083.tif 000006
【図５】
2006179083.tif 000007
【図６】
2006179083.tif 000008
【図７】
2006179083.tif 000009